(57)【要約】【課題】本発明の課題は、一人で作業可能な上、工数も少なくなるので、施工時間を短縮することができ、作業効率を向上することができ、また信号伝送線を通線ロッド内に入れたまま通線を行なうため、作業の安全性及び作業品質を向上することができる通線ロッド装置を提供することにある。【解決手段】本発明は、光ファイバケーブル１３が入出可能な入出口が軸方向に沿って設けられた筒状のロッド本体１２と、前記ロッド本体１２の入出口部に軸方向に移動自在に設けられ、光ファイバケーブル１３をロッド本体１２内に入れたり出したりする楔形治具１５と、前記ロッド本体１２の先端部に分離可能に設けられ、光ファイバケーブル１３が接続されると共に光ファイバケーブル１３を配管に係止する逆戻り防止装置１４とを具備することを特徴とするものである。【選択図】図１
2006180637.tif 000002
【特許請求の範囲】
【請求項１】
信号伝送線が入出可能な入出口が軸方向に沿って設けられた筒状のロッド本体と、
前記ロッド本体の入出口部に軸方向に移動自在に設けられ、信号伝送線をロッド本体内に入れたり出したりする楔形治具と、
前記ロッド本体の先端部に分離可能に設けられ、信号伝送線が接続されると共に信号伝送線を配管に係止する逆戻り防止装置と
を具備することを特徴とする通線ロッド装置。
【請求項２】
逆戻り防止装置として、爪を開いて配管に係止するようにした逆戻り防止装置を用いることを特徴とする請求項１に記載の通線ロッド装置。
【請求項３】
ロッド本体の入出口として、ゴムもしくは軟質プラスチックよりなる入出口を用いることを特徴とする請求項１又は２に記載の通線ロッド装置。
【請求項４】
ロッド本体の入出口として、ロッド本体の一部が間隙を開けて重なっている入出口を用いることを特徴とする請求項１又は２に記載の通線ロッド装置。
【発明の詳細な説明】
【技術分野】
【０００１】
本発明は、配管を通してネットワーク配線を行なう際に、信号伝送線（例えば、光ケーブル、メタルケーブル、光コード、テープ心線等）を配管に通線するのに使用する通線ロッド装置に関するものである。
【背景技術】
【０００２】
従来の光ネットワーク配線に用いるワイヤプロテクタは、光ケーブルや光コードを収容する溝の部分とその溝を塞ぐ蓋の部分から構成される。このワイヤプロテクタを用いて露出配線を行なう際の工程は次のようになる。先ず壁に両面テープを用いて、ワイヤプロテクタの収容部分を貼り付け、その後、光インドアケーブルや光コードをワイヤプロテクタに収容し、最後に、ワイヤプロテクタに蓋を被せて終了となる。
【０００３】
また、従来の光ネットワーク配線では、配管に光ケーブルを通線して行なうものがある。
図９（ａ）〜（ｄ）は従来の配管通線作業を示す説明図である。従来の配管通線作業は２人で行なうものとなる。すなわち、図９（ａ）に示すように、先ず配管１の一端側にいる人が通線ロッド２を矢印Ａ方向に配管１中に通す。次に、図９（ｂ）に示すように、配管１の他端側にいる人が通線したい光ケーブル３の先端を通線ロッド２の先端に固定する。次に、図９（ｃ）に示すように、配管１の一端側にいる人が通線ロッド２を矢印Ｂ方向に引き戻す。この時、光ケーブル３の縒り防止、及びスムーズに通線するために、配管１の他端側にいる人が矢印Ｂ方向に光ケーブル３を送る作業をしている。次に、図９（ｄ）に示すように、配管１の一端側にいる人が通線ロッド２を配管１から取り出して、通線ロッド２から光ケーブル３を外すことにより作業は完了する。
【特許文献１】特開平１０−３３６８２９号公報
【発明の開示】
【発明が解決しようとする課題】
【０００４】
しかしながら、図９の作業方法では、２人掛かりの作業になるため、施工効率があまり良くない。また、配管の一端側にいる人が最初に通線ロッドを配管に通している際、配管の他端側にいる人は作業することがなく、待機しているため、無駄な時間が生じている。更に、通線ロッドに接続して光ケーブルを一緒に引く際、光ケーブルに大きな張力がかかる可能性があるが、光ケーブルに保護する手段がない。これは、特に細い光ケーブルを配線する際、光ケーブルにダメージを与える可能性がある。等の欠点がある。
【０００５】
本発明は上記の事情に鑑みてなされたもので、一人で作業可能な上、工数も少なくなるので、施工時間を短縮することができ、作業効率を向上することができ、また信号伝送線を通線ロッド内に入れたまま通線を行なうため、作業の安全性及び作業品質を向上することができる通線ロッド装置を提供することを目的とする。
【課題を解決するための手段】
【０００６】
上記目的を達成するために本発明の通線ロッド装置は、信号伝送線が入出可能な入出口が軸方向に沿って設けられた筒状のロッド本体と、前記ロッド本体の入出口部に軸方向に移動自在に設けられ、信号伝送線をロッド本体内に入れたり出したりする楔形治具と、前記ロッド本体の先端部に分離可能に設けられ、信号伝送線が接続されると共に信号伝送線を配管に係止する逆戻り防止装置とを具備することを特徴とするものである。
【０００７】
また本発明の通線ロッド装置は、逆戻り防止装置として、爪を開いて配管に係止するようにした逆戻り防止装置を用いることを特徴とするものである。
【０００８】
また本発明の通線ロッド装置は、ロッド本体の入出口として、ゴムもしくは軟質プラスチックよりなる入出口を用いることを特徴とするものである。
【０００９】
また本発明の通線ロッド装置は、ロッド本体の入出口として、ロッド本体の一部が間隙を開けて重なっている入出口を用いることを特徴とするものである。
【発明の効果】
【００１０】
本発明の通線ロッド装置は、一人で作業可能な上、作業工数も少なくなるので、施工時間を短縮することができ、作業効率を向上することができる。また信号伝送線を通線ロッド内に入れたまま通線を行なうため、信号伝送線に余計な張力がかかることなく、信号伝送線を保護することができる。これは、特に細い光ケーブル、光コードあるいはテープ心線等を配管配線する際、作業の安全性及び作業品質を向上することができる。更に、メタル配線の通線時、光配線の通線時のどちらでも適用可能なため、従来の工法より大幅な作業効率の向上が可能である。
【発明を実施するための最良の形態】
【００１１】
以下図面を参照して本発明の実施の形態例を詳細に説明する。
図１は本発明の実施形態例に係る通線ロッド装置を示す構成説明図である。すなわち、台座１１には筒状のロッド本体１２が巻回して収納され、前記ロッド本体１２には信号伝送線例えば光ファイバケーブル１３を入出可能にする入出口が軸方向に沿って設けられる。前記ロッド本体１２は楔形治具装置１４を介して導出され、前記楔形治具装置１４には楔形治具１５が設けられる。前記楔形治具１５はロッド本体１２の入出口部に軸方向に移動自在に設けられ、ロッド本体１２が矢印Ａ方向に移動して配管に入れて行く場合は、光ファイバケーブル１３をロッド本体１２中に入れるように作用し、ロッド本体１２が矢印Ａ方向と反対方向に移動して配管から抜いて行く場合は、光ファイバケーブル１５をロッド本体１２中から出して分離すように作用する。前記ロッド本体１２の先端部には逆戻り防止装置１６が分離可能にして設けられ、前記逆戻り防止装置１６はロッド本体１２中の光ファイバケーブル１３の先端部を接続すると共に、ロッド本体１２を配管から引き出す時に光ファイバケーブル１３を配管に係止する。
【００１２】
図２は本発明の実施形態例に係るロッド本体の一例を示し、（ａ）は斜視図、（ｂ）は拡大断面図である。すなわち、円筒状よりなるロッド本体１２−１の側面にはスリット状の入出口部２１が軸方向い沿って設けられる。前記入出口部２１には例えばゴムもしくは軟質プラスチック等の柔軟材よりなる断面三角形状の仕切部材２２がロッド本体１２−１の両側にそれぞれ固定されると共に、断面三角形状の先端部を接触するようにして設けられる。
【００１３】
図３は本発明の実施形態例に係るロッド本体の他の例を示し、（ａ）は斜視図、（ｂ）は拡大断面図である。すなわち、円筒状よりなるロッド本体１２−２の側面には切り込みが軸方向い沿って設けられ、前記切り込み部近傍のロッド本体１２−２の一部は間隙を開けて互いに重なるように形成されて入出口部３１が軸方向い沿って設けられる。
【００１４】
図４は本発明の実施形態例に係る楔形治具の一例を示し、（ａ）は側面図、（ｂ）は横断面図、（ｃ）は縦断面図である。すなわち、楔形治具１５−１の両端固定部４１は楔形治具装置１４に固定される。前記楔形治具１５−１の導入部４２はロッド本体１２−１の入出口部２１に挿入され、前記導入部４２には光ファイバケーブル１３が通れる通線孔４３がロッド本体１２−１の内部と外部を貫通するようにして設けられる。前記導入部４２はロッド本体１２−１の入出口部２１をかき分けて、光ファイバケーブル１３をロッド本体１２−１中に入れたり、取り出したりする。
【００１５】
図５は本発明の実施形態例に係る楔形治具の他の例を示し、（ａ）は側面図、（ｂ）は横断面図である。すなわち、楔形治具１５−２の両端固定部５１は楔形治具装置１４に固定される。前記楔形治具１５−２の導入部５２はロッド本体１２−２の入出口部３１に挿入され、前記導入部５２には光ファイバケーブル１３が通れる通線孔５３がロッド本体１２−２の内部と外部を貫通するようにして設けられる。前記導入部５２はロッド本体１２−２の入出口部３１をかき分けて、光ファイバケーブル１３をロッド本体１２−２中に入れたり、取り出したりする。
【００１６】
図６（ａ）〜（ｄ）は本発明の実施形態例に係る逆戻り防止装置の一例を示す工程図である。すなわち、逆戻り防止装置１６−１は先端に半球部材６１が形成され、前記半球部材６１には光ファイバケーブル１３が接続される接続部材６２が取り付けられる。前記半球部材６１には円筒体の外周にネジ切りをしたネジ部材６３が一体に設けられる。前記ネジ部材６３の外周には円筒体の後端に複数の短冊状の爪６４を設けた爪部材６５がねじ込まれて取り付けられる。前記爪６４は弾性体により広がるように形成されて円筒状の収納部材６６の内部に収納される。
【００１７】
しかして、図６（ａ）に示すように、逆戻り防止装置１６−１を先端部に取り付けたロッド本体１２を配管１７中に挿入する。
【００１８】
次に、図６（ｂ）に示すように、ロッド本体１２先端部の逆戻り防止装置１６−１が配管１７より出ると、手動で収納部材６６を取り外す。
【００１９】
次に、図６（ｃ）に示すように、手動で収納部材６６を取り外すことにより、爪６４は弾力により外方へ放射状に広がり、爪６４が配管１７の端部に当接して係止する。
尚、図６（ｄ）は逆戻り防止装置１６−１の内部を示す。
【００２０】
図７（ａ）〜（ｃ）は本発明の実施形態例に係る逆戻り防止装置の他の例を示す工程図である。すなわち、逆戻り防止装置１６−２は先端に半球部材７１が形成され、前記半球部材７１には光ファイバケーブル１３が接続される接続部材７２が取り付けられる。前記半球部材７１には円筒体の外周にネジ切りをしたネジ部材７３が一体に設けられる。前記ネジ部材７３の外周には円筒体の後端に弾性体よりなる複数の短冊状の爪７４を設けた爪部材７５がねじ込まれて取り付けられる。前記爪７４は弾力により元々外方へ広がるように形成される。
【００２１】
しかして、図７（ａ）に示すように、逆戻り防止装置１６−２を先端部に取り付けたロッド本体１２を配管１７中に挿入する。この場合、爪部材７５の爪７４の広がりを抑えるようにつぼめて配管１７中に挿入する。
【００２２】
次に、図６（ｂ）に示すように、ロッド本体１２先端部の逆戻り防止装置１６−２が配管１７より出ると、自動的に爪部材７５の爪７４は弾力により外方へ放射状に広がり、爪７４が配管１７の端部に当接して係止する。この場合、自動的に爪７４が開く際、ロッド本体１２に与える振動、あるいは音を出すようにすれば、一人で作業を行なっていても、対向側の配管１７から逆戻り防止装置１６−２が出たかどうかが分かる。
尚、図６（ｃ）は逆戻り防止装置１６−１の内部を示す。
【００２３】
図８（ａ）〜（ｃ）は本発明の実施形態例に係る通線作業方法を示す工程図である。すなわち、図８（ａ）に示すように、ロッド本体１２先端部の逆戻り防止装置１６に光ファイバケーブル１３を接続すると共にロッド本体１２中に光ファイバケーブル１３を通した後、ロッド本体１２先端部の逆戻り防止装置１６から配管１７中に挿入する。したがって、光ファイバケーブル１３もロッド本体１２と一緒に配管１７中に送られる。次に、図８（ｂ）に示すように、配管１７の端部から逆戻り防止装置１６が出ると、逆戻り防止装置１６の爪７４（６４）が広げられて、爪７４（６４）が配管１７の端部に当接して係止し、光ファイバケーブル１３が逆戻りしないようにする。次に、図８（ｃ）に示すように、ロッド本体１２のみを配管１７から全部引き出すことにより配線を終了する。
【００２４】
尚、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２５】
【図１】本発明の実施形態例に係る通線ロッド装置を示す構成説明図である。
【図２】本発明の実施形態例に係るロッド本体の一例を示し、（ａ）は斜視図、（ｂ）は拡大断面図である。
【図３】本発明の実施形態例に係るロッド本体の他の例を示し、（ａ）は斜視図、（ｂ）は拡大断面図である。
【図４】本発明の実施形態例に係る楔形治具の一例を示し、（ａ）は側面図、（ｂ）は横断面図、（ｃ）は縦断面図である。
【図５】本発明の実施形態例に係る楔形治具の他の例を示し、（ａ）は側面図、（ｂ）は横断面図である。
【図６】（ａ）〜（ｄ）は本発明の実施形態例に係る逆戻り防止装置の一例を示す工程図である。
【図７】（ａ）〜（ｃ）は本発明の実施形態例に係る逆戻り防止装置の他の例を示す工程図である。
【図８】（ａ）〜（ｃ）は本発明の実施形態例に係る通線作業方法を示す工程図である。
【図９】（ａ）〜（ｄ）は従来の配管通線作業を示す説明図である。
【符号の説明】
【００２６】
１１…台座、１２…ロッド本体、１３…光ファイバケーブル、１４…楔形治具装置、１５…楔形治具、１６…逆戻り防止装置。
【図１】
2006180637.tif 000003
【図２】
2006180637.tif 000004
【図３】
2006180637.tif 000005
【図４】
2006180637.tif 000006
【図５】
2006180637.tif 000007
【図６】
2006180637.tif 000008
【図７】
2006180637.tif 000009
【図８】
2006180637.tif 000010
【図９】
2006180637.tif 000011